(57)【要約】【目的】冷風吐出し口にダクトを備えた局所冷房用の空気調和機において、デザイン性やメンテナンス性を向上したダクトの取付け構造に関する。【構成】枠体１内の圧縮機２とコンデンサ３とエバポレータ５で構成する冷凍サイクルによって冷風を発生し、枠体１の前面１ａの冷風吐出し口１ｂから吹出す冷風を、枠体１の前面に取付けた冷風吹出し口カバー６に装着した冷風吐出ダクト７によって任意方向に誘導する。冷風吹出し口カバー６は上部に上ブラケット８を取付け、下部に固定部６ｃを設けてあり、上ブラケット８は固定部８ｃによって冷風吹出し口カバー６のボス６ｂに固着されている。冷風吹出し口カバー６は、上ブラケット８の上向係止部８ｂを送風ファン５ａと冷風吹出し口１ｂと接続する部分の壁面に係合させながら、固定部６ｃを冷風吹出し口１ｂより下方の枠体１の前面１ａに設けた取付板９にネジ等で固着して、枠体１の前面に取付けるものである。【選択図】          図１
2005042936.tif 000002
【特許請求の範囲】
【請求項１】
空気調和機の枠体１内には、冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口１ｂとを設け、
前記エバポレータ５で気化した冷媒が圧縮機２に戻される冷凍サイクルを構成する一体形の空気調和機において、
前記枠体１の前面１ａに形成した冷風吹出し口１ｂの前面を覆いながら枠体１の前面１ａに固定する冷風吹出し口カバー６を設け、該冷風吹出し口カバー６の前部は冷風吹出し口１ｂから離れるように突出して上部に開口６ａを形成し、
該開口６ａには先端の冷風吐出部７ａを任意方向に変更可能とするフレキシブルで伸縮可能な冷風吐出ダクト７を装着し、該冷風吐出ダクト７の基部７ｂと冷風吹出し口カバー６の開口６ａとの間に固定手段を設けると共に、
冷風吹出し口カバー６の上部には冷風吹出し口１ｂの上部の開口幅に嵌合する基部８ａと、前記送風ファン５ａと冷風吹出し口１ｂと接続する部分の壁面に係合する上向係止部８ｂとを備えた上ブラケット８を取付け、
かつ、冷風吹出し口カバー６の下部には、前記冷風吹出し口１ｂよりも下方の枠体１の前面１ａから前方に伸びた取付板９に固着する固定手段６ｃを設け、
冷風吹出し口カバー６は前記上ブラケット８の上向係止部８ｂを前記送風ファン５ａと冷風吹出し口１ｂと接続する部分の壁面に係合させながら、固定手段６ｃを取付板９に固定することを特徴とする空気調和機の冷風吐出ダクト構造。
【請求項２】
枠体１の下部に収納されるドレンタンク１０のドレンタンクカバー１１は枠体１の前面１ａに着脱自在に取付け、かつドレンタンクカバー１１の上部には凸部１１ａを形成し、該凸部１１ａの外周は冷風吹出し口カバー６の下部の外周面と連続しており、前記固定手段６ｃは凸部１１ａの上方に位置してドレンタンクカバー１１によって覆い隠されることを特徴とする請求項１記載の空気調和機の冷風吐出ダクト構造。
【請求項３】
前記上ブラケット８は冷風吹出し口１ｂの上部の開口幅に嵌合する基部８ａと、前記送風ファン５ａと冷風吹出し口１ｂと接続する部分の壁面に係合する上向係止部８ｂと、冷風吹出し口カバー６に固定される固定部８ｃとによって構成し、前記冷風吹出し口１ｂの上部の開口幅と、上ブラケット８の基部８ａの幅とによって冷風吹出し口カバー６の取付位置が決定することを特徴とする請求項１記載の空気調和機の冷風吐出ダクト構造。
【請求項４】
前記上ブラケット８は固定部８ｃによって冷風吹出し口カバー６のボス６ｂに固着されており、冷風吹出し口カバー６を枠体１から取外した際は冷風吹出し口カバー６と共に枠体１から離脱する事を特徴とする請求項１記載の空気調和機の冷風吐出ダクト構造。
【請求項５】
前記冷風吹出し口カバー６は、前記固定手段６ｃの固定を解除するのみで枠体１から脱着できることを特徴とする請求項１記載の空気調和機の冷風吐出ダクト構造。
【請求項６】
枠体１の前面１ａに構成した冷風吹出し口１ｂはその横幅を冷風吐出ダクト７よりも幅広に形成すると共に、送風ファン５ａの吐出口よりも下方の冷風吹出し口１ｂには枠体１内に向いた凹部１ｃを形成し、
前記冷風吐出ダクト７が冷風吹出し口カバー６と凹部１ｃとの間に収納できる空間を確保したことを特徴とする請求項１記載の空気調和機の冷風吐出ダクト構造。
【発明の詳細な説明】
【０００１】
【産業上の利用分野】
この発明は冷凍サイクルを利用して局所の空気調和を行う空気調和機の冷風吐出ダクト構造に関するものである。
【０００２】
【従来の技術】
枠体内には冷媒を圧縮する圧縮機と、圧縮された高温のガス状冷媒が送られるコンデンサと、コンデンサで液化した冷媒が減圧器を介して送られるエバポレータとを備え、該エバポレータで気化した冷媒が圧縮機に戻されることによって冷凍サイクルを構成している。
【０００３】
前記コンデンサとエバポレータには送風ファンを備えて常時送風されており、前記冷媒が圧縮機で加圧されると高温高圧になり、この冷媒はコンデンサを通過する空気流と熱交換して液化する。そして、この液化した高圧の冷媒は減圧器を経て圧力を下げてエバポレータに送られ、エバポレータを通過する空気を冷却することで冷媒はエバポレータ内部で気化し、この気化した冷媒は再び圧縮機で加圧されてコンデンサに送られる。
【０００４】
前記冷媒がエバポレータで気化する時にエバポレータを低温度にするから、送風ファンによりエバポレータを通過して冷却された空気流が枠体の冷風吹出し口から吹出すことで冷風機と呼ばれる空気調和機を構成している。
【０００５】
上記の空気調和機は枠体の前面の冷風吹出し口から枠体の前方に向けて冷風を吹出すものであり、枠体の前方にいる人の低い位置に冷風を吹き付ける構成となっている。このような冷風を受ける位置の制限をなくすために、フレキシブルな冷風吐出ダクトに冷風を吹き込んで希望する位置に冷風を吹出すことが考えられる。
【０００６】
具体的な構成としては、冷風吹出し口にフレキシブルな冷風吐出ダクトを取付けて、先端を任意な方向に向けることができる。更に、立ち上がった人の上半身に向けて冷風を希望することが多いと思われるから、えび曲げと呼ばれる吹出し方向を直角に変更するダクトを冷風吹出し口に取付けて吹出し方向を上方に向けることが行われ、このえび曲げダクトの上にフレキシブルな冷風吐出ダクトを取付けて、先端を高い位置から任意な方向に向けることも可能である。
【０００７】
ところで、この種の空気調和機は季節商品であるから冬季には不要であり、空気調和機を収納する時に冷風吐出ダクトを付けたままでは大きな収納スペースが必要になるから、分解して保管することが好ましい。また、製品の性格上、非常に汚れる使い方をされるものであり、特に冷風吐出ダクトは使用者の手が直接触れることが多いため清掃の必要性は多大であるので、容易に清掃できるように冷風吐出ダクトが取外せることが必要とされる。
【０００８】
このことから、従来では冷風吐出ダクトを固定する為の固定ネジ等の固定構造を外部に露出させ、使用者が容易に冷風吐出ダクトの取外し作業ができるように作られているものが一般的であった。
【０００９】
【発明が解決しようとする課題】
しかしながら、冷風機の枠体に冷風吐出ダクトを固定する為の各種の固定ねじなどを外観上に露出してしまうと、商品価値を低下させてしまうことになるので、固定ねじなどの固定構造は外観上に露出しない方がデザイン上好ましいが、デザインを優先した構造にすると取外し等の作業性が悪くなってしまう。
【００１０】
また、冷風吐出ダクトを分解して保管するには保管するための梱包材料と、組立てた時の工具を常に保管しておく必要がある。更に、このように分解した状態で保管するには、固定のための小さな部品を紛失する可能性が常にあり、部品の確認を行うと共に梱包材料の中に保管位置を用意する必要がある。
【００１１】
この対策として、冷風機の枠体に取付けた冷風吹出し口カバーに冷風吐出ダクトを収納できる構造にしたものがあるが、枠体に増設した冷風吹出し口カバーに収納空間を設けてしまうと製品の小型化が難しくなり、逆に製品の大型化につながって大きな収納スペースが必要となってしまうものであり、まだまだ完全なものとはいえなかった。
【００１２】
【課題を解決するための手段】
この発明は上記課題を解決するもので、空気調和機の枠体１内には、冷媒を圧縮する圧縮機２と、高温のガス状冷媒が送られるコンデンサ３と、液化した冷媒が減圧器４を介して送られるエバポレータ５と、コンデンサ３及びエバポレータ５のそれぞれに送風する送風ファン３ａ・５ａと、エバポレータ５の送風ファン５ａの吐出口に接続する冷風吹出し口１ｂとを設け、前記エバポレータ５で気化した冷媒が圧縮機２に戻される冷凍サイクルを構成する一体形の空気調和機において、前記枠体１の前面１ａに形成した冷風吹出し口１ｂの前面を覆いながら枠体１の前面１ａに固定する冷風吹出し口カバー６を設け、該冷風吹出し口カバー６の前部は冷風吹出し口１ｂから離れるように突出して上部に開口６ａを形成し、該開口６ａには先端の冷風吐出部７ａを任意方向に変更可能とするフレキシブルで伸縮可能な冷風吐出ダクト７を装着し、該冷風吐出ダクト７の基部７ｂと冷風吹出し口カバー６の開口６ａとの間に固定手段を設けると共に、冷風吹出し口カバー６の上部には冷風吹出し口１ｂの上部の開口幅に嵌合する基部８ａと、前記送風ファン５ａと冷風吹出し口１ｂと接続する部分の壁面に係合する上向係止部８ｂとを備えた上ブラケット８を取付け、かつ、冷風吹出し口カバー６の下部には、前記冷風吹出し口１ｂよりも下方の枠体１の前面１ａから前方に伸びた取付板９に固着する固定手段６ｃを設け、冷風吹出し口カバー６は前記上ブラケット８の上向係止部８ｂを前記送風ファン５ａと冷風吹出し口１ｂと接続する部分の壁面に係合させながら、固定手段６ｃを取付板９に固定することを特徴とするものである。
【００１３】
また、枠体１の下部に収納されるドレンタンク１０のドレンタンクカバー１１は枠体１の前面１ａに着脱自在に取付け、かつドレンタンクカバー１１の上部には凸部１１ａを形成し、該凸部１１ａの外周は冷風吹出し口カバー６の下部の外周面と連続しており、前記固定手段６ｃは凸部１１ａの上方に位置してドレンタンクカバー１１によって覆い隠されるので、冷風吹出し口カバー６の固定構造が外観上に露出することは全く無いものである。
【００１４】
また、前記上ブラケット８は冷風吹出し口１ｂの上部の開口幅に嵌合する基部８ａと、前記送風ファン５ａと冷風吹出し口１ｂと接続する部分の壁面に係合する上向係止部８ｂと、冷風吹出し口カバー６に固定される固定部８ｃとによって構成し、前記冷風吹出し口１ｂの上部の開口幅と、上ブラケット８の基部８ａの幅とによって冷風吹出し口カバー６の取付位置が決定するので、冷風吹出し口カバー６の位置を調整する必要がなく、生産性が向上するものである。
【００１５】
また、前記上ブラケット８は固定部８ｃによって冷風吹出し口カバー６のボス６ｂに固着されており、冷風吹出し口カバー６を枠体１から取外した際は冷風吹出し口カバー６と共に枠体１から離脱するので、冷風吹出し口カバー６を取外しても冷風の吹出し経路には送風を妨げるものは残らない。
【００１６】
また、前記冷風吹出し口カバー６は、前記固定手段６ｃの固定を解除するのみで枠体１から脱着できるので、冷風吹出し口カバー６の枠体１からの脱着が非常に容易となる。
【００１７】
更に、枠体１の前面１ａに構成した冷風吹出し口１ｂはその横幅を冷風吐出ダクト７よりも幅広に形成すると共に、送風ファン５ａの吐出口よりも下方の冷風吹出し口１ｂには枠体１内に向いた凹部１ｃを形成し、前記冷風吐出ダクト７が冷風吹出し口カバー６と凹部１ｃとの間に収納できる空間を確保したから、冷風吐出ダクト７は枠体１内の未使用となっていた空間を利用して収納できる。
【００１８】
【作用】
この発明では、冷風吹出し口カバー６の上部に上ブラケット８を取付け、冷風吹出し口カバー６の下部に固定手段６ｃを設けたもので、冷風吹出し口カバー６は上ブラケット８に形成した上向係止部８ｂを枠体１内の送風ファン５ａと冷風吹出し口１ｂと接続する部分の壁面に係合させ、固定手段６ａを冷風吹出し口１ｂより下方の枠体１の前面１ａに設けた取付板９に固定して枠体１の前面１ａに取付けるので、冷風吹出し口カバー６を枠体１の前面１ａに固定する為の固定ネジ等の固定用部材は全て製品の内側や下側となり、外観部にネジが露出することが無くなった。
【００１９】
また、ドレンタンクカバー１１の上部には凸部１１ａを形成し、凸部１１ａの外周を冷風吹出し口カバー６の下部の外周面と連続したから、ドレンタンクカバー１１を枠体１に取付けたときに、凸部１１ａの上方に位置する固定手段６ｃはドレンタンクカバー１１によって覆い隠すことができるものとなった。
【００２０】
また、冷風吹出し口カバー６の取付け位置は冷風吹出し口１ｂの上部の開口幅に嵌合する上ブラケット８の基部８ａの幅によって決まっているので、冷風吹出し口ダクト６の取付位置を調整する必要がなくなって容易に取付けできるようになった。
【００２１】
また、上ブラケット８は冷風吹出し口カバー６のボス６ｂに固定部８ｃを介して固着されているから、枠体１の前面１ａから冷風吹出し口カバー６を取外した際は上ブラケット８が冷風吹出し口カバー６と共に枠体１の前面１ａから離脱する事になり、冷風の吹出し経路には送風を妨げるものは残らない。
【００２２】
また、冷風吹出し口カバー６は、ボス６ｂに固定された上ブラケット８の上向係止部８ｂを送風ファン５ａと冷風吹出し口１ｂと接続する部分の壁面に係合し、固定手段６ｃを取付板９に固定することによって枠体１の前面１ａに取付けているから、冷風吹出し口カバー６は固定手段６ｃの固定を解除するのみで枠体１の前面１ａから取外すことができる。
【００２３】
また、冷風吹出し口１ｂは冷風吐出ダクト７よりも幅広に形成すると共に、送風ファン５ａの吐出口よりも下方に枠体１内に向いた凹部１ｃを形成し、冷風吐出ダクト７を冷風吹出し口カバー６と凹部１ｃとの間の空間に収納できるようにしたので、冷風吹出し口カバー６の小型化が可能となった。
【００２４】
【実施例】
実施例を示す図によってこの構成を説明すると、１は空気調和機を構成する局所冷房用の冷風機の枠体、１ａは枠体１の前面、２は枠体１内に収納された冷媒圧縮用の圧縮機、３は高温のガス状冷媒が送られるコンデンサ、４は液化した冷媒が減圧される減圧器、５はエバボレータ、３ａ・５ａはコンデンサ３やエバボレータ５に空気を吹き付ける送風ファンであり、前記減圧器４で減圧された冷媒はエバボレータ５に送られて気化し、この時エバボレータ５を低温度にするから送風ファン５ａの吐出口側の空気流は冷たくなり、局所を冷房することができる。また、エバポレータ５で気化した冷媒は圧縮機２に戻されることによって冷凍サイクルを構成している。
【００２５】
１ｂは前記送風ファン５ａの吐出口に接続して枠体１の前方に冷風を吹出す構成となっている冷風吹出し口、６は該冷風吹出し口１ｂの前方を覆う冷風吹出し口カバー、６ａは冷風吹出し口１ｂから離れるように突出した冷風吹出し口カバー６の上部に形成した開口であり、エバポレータ５で冷却された空気は冷風吹出し口１ｂから吹出し、冷風吹出し口カバー６の上部の開口６ａから上方に向けて吹出している。８は枠体１の前面１ａの冷風吹出し口１ｂの上部と冷風吹出し口カバー６の上部との間に位置する上ブラケットであり、冷風吹出し口カバー６は上ブラケット８を介して枠体１の前面１ａに固定している。
【００２６】
７は冷風の吹出し方向を任意に変更可能にするフレキシブルで伸縮可能な冷風吐出ダクト、７ａは冷風吐出ダクト７の先端で構成した冷風吐出部、７ｂは冷風吐出ダクト７の下部に設けた基部であり、冷風吐出ダクト７は基部７ｂを冷風吹出し口カバー６の開口６ａに固定することで冷風吹出し口カバー６に取付けられており、冷風吐出ダクト７の先端の冷風吐出部７ａの方向を変更することで、冷風吹出し口カバー６の開口６ａから上方に吹出す冷風の吹出し方向を任意の方向に変更することができる。
【００２７】
ところで、冷風吹出し口カバー６の取付け構造として、従来では上ブラケット８が冷風吹出し口１ｂに取付けてあり、冷風吹出し口カバー６の上部を冷風吹出し口１ｂから突出した上ブラケット８に取付け、冷風吹出し口カバー６の外側から固定ネジ等で上ブラケット８に固着し、冷風吹出し口カバー６の下部を冷風吹出し口１ｂの下方で冷風吹出し口カバー６の外側から固定ネジ等で枠体１の前面１ａに固定する方法が一般的であった。
【００２８】
しかし、フレキシブルで伸縮可能な冷風吐出ダクト７の先端を冷風吐出部７ａとする冷風機又はスポットエアコンと呼ばれる空気調和機は、一般に冷風吐出ダクト７の吹出し方向を上方に向けてから高い位置から側方などの任意方向に向けられており、冷風吹出し口カバー６や冷風吐出ダクト７は使用者にとって最も注意を引く場所になっているので、冷風吹出し口カバー６の固定構造が外観に露出していると見苦しくデザインを損なうものであった。
【００２９】
この発明は上記の問題を解決するもので、８ａは冷風吹出し口１ｂの上部の開口幅に嵌合する上ブラケット８の基部、８ｂは前記送風ファン５ａと冷風吹出し口１ｂと接続する部分の壁面に係合する上向係止部、８ｃは上ブラケット８の上向係止部８ｂとは反対側に設けた固定部、６ｂは冷風吹出し口カバー６の上部の内側に形成したボスであり、上ブラケット８は固定部８ｃによってボス６ｂに固定して冷風吹出し口カバー６と一体にしている。
【００３０】
９は冷風吹出し口１ｂよりも下方の枠体１の前面１ａから前方に伸びた取付板、６ｃは冷風吹出し口カバー６の下部に設けた固定手段であり、冷風吹出し口カバー６は、前記上ブラケット８の上向係止部８ｂを前記送風ファン５ａと冷風吹出し口１ｂの接続する部分の壁面に係合させながら枠体１の前面１ａに取付け、冷風吹出し口カバー６の下部の固定手段６ｃを固定ネジ等で取付板９に固着することで枠体１の前面１ａに固定している。
【００３１】
この為、冷風吹出し口カバー６と枠体１の前面１ａの接合構造で外側に露出する箇所は固定手段６ｃと取付板９部分のみとなるが、冷風吹出し口カバー６の内側の下部に設けた固定手段６ｃは、使用者からは冷風吹出し口カバー６で隠れて見えにくい位置にあるから、外観と作業性が格段に向上したものである。
【００３２】
１０は枠体１内の下方に設置されるドレンタンク、１１は該ドレンタンク１０の前方の枠体１の前面１ａに着脱自在に取付けられたドレンタンクカバーであり、ドレンタンク１０は運転中に発生したドレン水を貯蔵する役目を担っており、ドレンタンク１０が満量になった際は、ドレンタンクカバー１１を取外してドレンタンク１０を露出させ、ドレンタンク１０を取出して排水することができるようになっている。
【００３３】
１１ａはドレンタンクカバー１１の上部に形成した凸部であり、この凸部１１ａの外周は冷風吹出し口カバー６の下部の外周面と連続している。ドレンタンクカバー１１を枠体１の前面１ａに取付けると、前記固定手段６ｃが凸部１１ａの上方に位置する事になり、固定手段６ｃはドレンタンクカバー１１の凸部１１ａによって隠れるので、冷風吹出し口カバー６と枠体１の前面１ａとの接合構造で製品外面に露出する箇所は全くなくなり外観が格段に向上したものである。
【００３４】
また、この発明では冷風吹出し口カバー６を枠体１の前面１ａに取付けたときに、枠体１の前面１ａと冷風吹出し口カバー６の水平方向の位置関係は、冷風吹出し口１ｂの上部の開口幅と上ブラケット８の基部８ａの幅とによって決まるので、冷風吹出し口カバー６は特殊な調整無しに容易に取付け位置の整合が取れるものとなり、冷風吹出し口カバー６が容易に取付けできるものとなった。
【００３５】
また、上ブラケット８は冷風吹出し口カバー６と一体に構成しているので、冷風吹出し口カバー６を枠体１の前面１ａから取外した際は、上ブラケット８が冷風吹出し口カバー６と共に枠体１から離脱することができるから、冷風の吹出し経路には送風を妨げるものは残らず、冷風吹出し口カバー６を取外した状態でも使用することができるものとなった。
【００３６】
更に、この発明の冷風吹出し口カバー６は固定手段６ｃと取付板９との間の固定ネジを外すだけで枠体１の前面１ａから取外すことができるから、冷風吹出し口カバー６の着脱作業が容易になり、清掃等の際の作業性が格段に向上することができた。
【００３７】
また、この種の空気調和機は季節商品であるから冬季には不要であり、空気調和機を保管する時には冷風吐出ダクト７が邪魔になるが、冷風吐出しダクト７を取外して保管するとネジ等の部品を紛失する心配がある。この為、冷風吹出し口カバー６の内側に冷風吐出ダクト７を収納する空間を設け、保管時には開口６ａに固定されていた冷風吐出ダクト７を冷風吹出し口カバー６内に収納できるようにした提案がある。
【００３８】
しかし、枠体１の外側に増設した冷風吹出し口カバー６に冷風吐出しダクト７の収納空間を設けると、冷風吹出し口カバー６の形状が大きくなり、製品全体が大型化するので、大きな収納スペースが必要となってしまうものであった。
【００３９】
枠体１の前面１ａの冷風吹出し口１ｂはさほど重要視されておらず、設計上の留意点は無いものであった。この発明の実施例において、１ｃは冷風吹出し口１ｂの送風ファン５ａの吐出口よりも下方で枠体１内に向けて形成した凹部であり、冷風吹出し口１ｂの横幅は冷風吐出ダクト７よりも幅広に形成し、冷風吹出し口カバー６と凹部１ｃとの間の空間に冷風吐出ダクト７を収納できるようにした。
【００４０】
この為、冷風吐出ダクト７を収納する空間は枠体１内の未使用の空間を利用できるようになり、冷風吐出ダクト７を収納する構造であっても冷風吹出し口カバー６の形状を小さくすることができ、製品の小型化が可能となった。
【００４１】
【発明の効果】
以上のようにこの発明では、冷風吹出し口カバー６の上部に設けた上ブラケット８の上向係止部８ｂを送風ファン５ａと冷風吹出し口１ｂとを接続する部分の壁面に係合し、冷風吹出し口カバー６の下部に設けた固定手段６ｃを冷風吹出し口１ｂよりも下方の枠体１の前面１ａに設けた取付板９に固着して、冷風吹出し口カバー６を枠体１の前面１ａに取付けたものであり、冷風吹出し口カバー６を固定するネジ等の固定手段は冷風吹出し口カバー６内に位置して表面に露出することがなくなり、外観が向上するものとなった。
【００４２】
また、枠体１の下部に収納されるドレンタンク１０のドレンタンクカバー１１の上部には冷風吹出し口カバー６の下部の外周面と連続する凸部１１ａを形成し、凸部１１ａの上方に位置する固定手段６ｃがドレンタンクカバー１１によって覆い隠されるようにしたから、分解点検時などに必要な分解手段も外観上に露出することが無くなり、デザイン性が向上できた。
【００４３】
また、上ブラケット８は冷風吹出し口１ｂの上部の開口幅に嵌合する基部８ａを備え、冷風吹出し口１ｂの上部の開口幅と上ブラケット８の基部８ａの幅によって冷風吹出し口カバー６の取付け位置を決定しているので、冷風吹出し口カバー６は特殊な調整無しに容易に取付位置の整合が取れるものとなり作業性が大幅に向上された。
【００４４】
また、上ブラケット８は固定部８ｃによって冷風吹出し口カバー６のボス６ｂに固着して冷風吹出し口カバー６と一体に構成したから、枠体１の前面１ａから冷風吹出し口カバー６を取外した際は冷風吹出し口カバーと共に本体から離脱することができ、整備性、清掃性などが大幅に向上すると共に、冷風の吹出し経路には送風を妨げるものが残らないため、冷風吹出し口ダクト６のない状態で使用しても違和感はなく、使用方法等、各種の製品展開が可能となった。
【００４５】
また、冷風吹出し口カバー６は固定手段６ｃと取付板９との固定を解除するのみで枠体１から容易に取外すことができるから、整備性、清掃性などが大幅に向上した。
【００４６】
更に、枠体前面１ａに構成した冷風吹出し口１ｂは冷風吐出ダクト７よりも幅広に形成すると共に、冷風吹出し口１ｂの送風ファン５ａの吐出口よりも下方には枠体１内に向いた凹部１ｃを形成し、冷風吹出し口カバーと凹部１ｃとの間に冷風吐出ダクト７を収納できる空間を確保したから、冷風吹出し口カバー６内に冷風吐出ダクト７を収納する構成を備えても、冷風吹出し口カバー６の形状が大きくなることはなく、製品全体の小型化が可能となった。
【図面の簡単な説明】
【図１】この発明の実施例を示す空気調和機の断面図である。
【図２】従来例を示す空気調和機の断面図である。
【符号の説明】
１    枠体
１ａ  枠体の前面
１ｂ  冷風吹出し口
１ｃ  凹部
２    圧縮機
３    コンデンサ
３ａ  送風ファン
４    減圧器
５    エバポレータ
５ａ  送風ファン
６    冷風吹出し口カバー
６ａ  開口
６ｂ  ボス
６ｃ  固定手段
７    冷風吐出ダクト
７ａ  冷風吐出部
７ｂ  基部
８    上ブラケット
８ａ  基部
８ｂ  上向係止部
８ｃ  固定部
９    取付板
１０    ドレンタンク
１１    ドレンタンクカバー
１１ａ  凸部
【図１】
2005042936.tif 000003
【図２】
2005042936.tif 000004